(57)【要約】【課題】操作が無効である場合には、使用者が無効であるということがはっきりと認識できる使い勝手のよい加熱調理器を提供することを目的とする。【解決手段】負荷を載置する天板４と、負荷を加熱制御する加熱手段の加熱動作を操作するタッチ操作部８、９とを備え、タッチ操作部の操作表示部８ａ、９ａは、天板４の下方に配置した表示文字１２ａと点灯時に天板を透過して表示文字１２ａを表示するバックライト１１とを有し、操作表示部８ａ、９ａの非表示時には、表示文字１２ａも含めて操作表示部全体を消灯状態とするとともに操作表示部８ａ、９ａの操作を無効としたものである。これによって、操作表示部８ａ、９ａの非表示時、つまり操作が無効である場合には、表示文字１２ａも含めて操作表示部全体を消灯状態とするため、使用者が無効であるということがはっきりと認識でき、使い勝手がよい。【選択図】図３
2011029203.tif 000002
【特許請求の範囲】
【請求項１】
負荷を載置する天板と、負荷を加熱制御する加熱手段と、加熱手段の加熱動作を操作するタッチ操作部とを備え、タッチ操作部の操作表示部は、天板の下方に配置した表示文字と点灯時に天板を透過して表示文字を表示するバックライトとを有し、操作表示部の非表示時には、表示文字も含めて操作表示部全体を消灯状態とするとともに操作表示部の操作を無効とした加熱調理器。
【請求項２】
タッチ操作部の操作表示部を、非表示状態から表示状態に変更し、かつ操作表示部の操作を無効から有効とする起動手段を設けた請求項１に記載の加熱調理器。
【請求項３】
タッチ操作部は、天板上面と、天板上面とは別位置の２カ所に設け、天板上面とは別位置のタッチ操作部を起動手段として天板上面のタッチ操作部を操作制御する請求項２に記載の加熱調理器。
【請求項４】
タッチ操作部は、その動作中に有効な操作表示部のみを表示するようにした請求項１に記載の加熱調理器。
【請求項５】
加熱手段の動作中に、タッチ操作部への入力が所定時間無い場合には、タッチ操作部の操作表示部を非表示とするとともにタッチ操作部の操作を無効とするようにした請求項１に記載の加熱調理器。
【請求項６】
加熱手段により加熱される負荷の温度を直接あるいは間接的に測定する温度検知手段を設け、この温度検知手段による測定結果が所定温度以上である場合には、タッチ操作部の操作表示部を非表示としかつ操作を無効とするようにした請求項１に記載の加熱調理器。
【請求項７】
タッチ操作部の近傍温度を直接あるいは間接的に測定する操作部温度検知手段を設け、この操作部温度検知手段による測定結果が所定温度以上である場合には、タッチ操作部の操作表示部を非表示としかつ操作を無効とするようにした請求項１に記載の加熱調理器。
【請求項８】
加熱手段の加熱出力の設定火力に応じて、タッチ操作部の操作表示部における表示から非表示にする所定時間を変更するようにした請求項１に記載の加熱調理器。
【請求項９】
加熱手段が動作しているか否かにより、タッチ操作部の操作表示部を表示から非表示にする所定時間を変更するようにした請求項１に記載の加熱調理器。
【発明の詳細な説明】
【技術分野】
【０００１】
本発明は、鍋などの負荷を天板上に載置して加熱手段により加熱する加熱調理器に関するものである。
【背景技術】
【０００２】
従来、この種の加熱調理器は、加熱手段の加熱動作を操作するタッチ操作部を備え、タッチ操作部の操作表示部を操作して加熱調理を行っている（例えば、特許文献１参照）。
【先行技術文献】
【特許文献】
【０００３】
【特許文献１】特開２００５−３８７３９号公報
【発明の概要】
【発明が解決しようとする課題】
【０００４】
しかしながら、前記従来の構成では、タッチ操作部の操作表示部における有効無効の判断がバックライトの点灯消灯によりのみ実現しているため、消灯時にもかかわらず使用者は、タッチ操作部の操作表示部における印刷文字を見て、操作できるものと咄嗟に判断して操作してしまい、使用者に混乱を生じさせ、ストレスを与えてしまうという課題を有していた。
【０００５】
本発明は、前記従来の課題を解決するもので、操作が無効である場合には、使用者が無効であるということがはっきりと認識できる使い勝手のよい加熱調理器を提供することを目的とする。
【課題を解決するための手段】
【０００６】
前記従来の課題を解決するために、本発明の加熱調理器は、負荷を載置する天板と、負荷を加熱制御する加熱手段と、加熱手段の加熱動作を操作するタッチ操作部とを備え、タッチ操作部の操作表示部は、天板の下方に配置した表示文字と点灯時に天板を透過して表示文字を表示するバックライトとを有し、操作表示部の非表示時には、表示文字も含めて操作表示部全体を消灯状態とするとともに操作表示部の操作を無効としたものである。
【０００７】
これによって、操作表示部の非表示時、つまり操作が無効である場合には、表示文字も含めて操作表示部全体を消灯状態とするため、使用者が無効であるということがはっきりと認識でき、使い勝手がよいものである。
【発明の効果】
【０００８】
本発明の加熱調理器は、操作が無効である場合には、使用者が無効であるということがはっきりと認識できる使い勝手のよいものとなる。
【図面の簡単な説明】
【０００９】
【図１】本発明の実施の形態１、２における加熱調理器の外観斜視図
【図２】同加熱調理器の内部構成を説明するブロック図
【図３】同加熱調理器のタッチ操作部を示す断面図
【図４】同加熱調理器のタッチ操作部の構成説明図
【図５】（ａ）同加熱調理器のタッチ操作部における全点灯状態を示す平面図（ｂ）同全消灯状態を示す平面図
【図６】（ａ）同加熱調理器のタッチ操作部における電源スイッチ入りの状態を示す平面図（ｂ）同使用状態を示す平面図
【発明を実施するための形態】
【００１０】
第１の発明は、負荷を載置する天板と、負荷を加熱制御する加熱手段と、加熱手段の加熱動作を操作するタッチ操作部とを備え、タッチ操作部の操作表示部は、天板の下方に配置した表示文字と点灯時に天板を透過して表示文字を表示するバックライトとを有し、操作表示部の非表示時には、表示文字も含めて操作表示部全体を消灯状態とするとともに操作表示部の操作を無効とした加熱調理器ことにより、操作表示部の非表示時、つまり操作が無効である場合には、表示文字も含めて操作表示部全体を消灯状態とするため、使用者が無効であるということがはっきりと認識でき、使い勝手がよいものである。
【００１１】
第２の発明は、特に、第１の発明において、タッチ操作部の操作表示部を、非表示状態から表示状態に変更し、かつ操作表示部の操作を無効から有効とする起動手段を設けたことにより、使用者が必要な際には、起動手段を操作することにより、直ちにタッチ操作部の操作表示部を使用するようにすることができ、使い勝手がよいものである。
【００１２】
第３の発明は、特に、第２の発明において、タッチ操作部は、天板上面と、天板上面とは別位置の２カ所に設け、天板上面とは別位置のタッチ操作部を起動手段として天板上面のタッチ操作部を操作制御することにより、使用者が必要な際には、天板上面とは別位置のタッチ操作部の操作で直ちに天板上面のタッチ操作部を使用するようにすることができ、使い勝手がよいものである。
【００１３】
第４の発明は、特に、第１の発明において、タッチ操作部は、その動作中に有効な操作表示部のみを表示するようにしたことにより、使用者は使用可能な操作表示部のみを認識し、誤操作することのない使い勝手のよいものとなる。
【００１４】
第５の発明は、特に、第１の発明において、加熱手段の動作中に、タッチ操作部への入力が所定時間無い場合には、タッチ操作部の操作表示部を非表示とするとともにタッチ操作部の操作を無効とするようにしたことにより、使用者が機器のそばを離れた際などには、操作が無効になり安全なものとすることができる。
【００１５】
第６の発明は、特に、第１の発明において、加熱手段により加熱される負荷の温度を直接あるいは間接的に測定する温度検知手段を設け、この温度検知手段による測定結果が所定温度以上である場合には、タッチ操作部の操作表示部を非表示としかつ操作を無効とするようにしたことにより、負荷が高温である場合にはそのそばにあるタッチ操作部には使用者が手を伸ばさなくてもよく、安全なものとすることができる。
【００１６】
第７の発明は、特に、第１の発明において、タッチ操作部の近傍温度を直接あるいは間接的に測定する操作部温度検知手段を設け、この操作部温度検知手段による測定結果が所定温度以上である場合には、タッチ操作部の操作表示部を非表示としかつ操作を無効とするようにしたことにより、タッチ操作部が高温である場合には使用者が手を伸ばさなくてもよく、安全なものとすることができる。
【００１７】
第８の発明は、特に、第１の発明において、加熱手段の加熱出力の設定火力に応じて、タッチ操作部の操作表示部における表示から非表示にする所定時間を変更するようにしたことにより、使用者がそばにいて頻繁に火力設定を変えつつ調理することの多い高火力の場合には操作を無効にするまでの時間を長くし、使用者がそばを離れない場合が多く、火力設定を変更する頻度の少ない低火力の場合には、無効にするまでの時間を短くすることで、使い勝手のよいものとすることができる。
【００１８】
第９の発明は、特に、第１の発明において、加熱手段が動作しているか否かにより、タッチ操作部の操作表示部を表示から非表示にする所定時間を変更するようにしたことにより、使用者が機器を使用していない電源を入れていただけの場合と、実際に機器を使用して加熱調理中かどうかで、タッチ操作部を無効にする時間を変更することができ、使用者が機器の使用を停止した場合には直ちに操作を無効にし、使い勝手のよい安全なものとすることができる。
【００１９】
以下、本発明の実施の形態について、図面を参照しながら説明する。なお、この実施の形態によって、本発明が限定されるものではない。
【００２０】
（実施の形態１）
図は、本発明の実施の形態１における加熱調理器を示すものである。
【００２１】
図１、図２に示すように、本実施の形態における加熱調理器は、加熱調理器の本体を構成する外郭１と、外郭１の上部を構成し鍋などの負荷５ａ、５ｂを載置するセラミック製の天板４と、負荷５ａ、５ｂを誘導加熱する天板４下方の加熱コイル２ａ、２ｂと、加熱コイル２ａ、２ｂに高周波電流を供給し加熱制御する加熱手段３ａ、３ｂと、負荷５ａ、５ｂの温度を、天板４を介して検知する温度検知手段６ａ、６ｂと、温度検知手段６ａ、６ｂの信号により加熱手段３ａ、３ｂの加熱動作を制御する温調手段７ａ、７ｂと、加熱手段３ａ、３ｂの加熱動作を操作するタッチ操作部８、９とを備えている。さらに、外郭１前面にはロースタ１３、天板４にはラジエントヒータ１４も備えている。
【００２２】
そして、タッチ操作部８、９のうち、一方のタッチ操作部８は、天板４の上面に設けられ、他方のタッチ操作部９は、外郭１の前面から出没自在にカンガルー式に設けられており、タッチ操作部８の操作内容とほぼ同じか、あるいは抜粋した機能を有している。
【００２３】
また、図３、図４に示すように、タッチ操作部８、９の操作表示部８ａ、９ａは、天板４と、その下面に配置し中央部を除いた環状の導体塗料による印刷を施している電極１５と、電極１５の周囲にその導体塗料と同一色の印刷を施しているマスク印刷部１６と、その下方部に配置したＬＣＤ１２と、そのＬＣＤ１２を照射し天板４を透過して使用者に認識させる光源のバックライト１１とを有している。前記ＬＣＤ１２は表示文字１２ａを有するものであり、一般的にネガ表示のものを用い、非表示のときは黒、表示のときは抜き文字で表示させている。この表示文字１２ａをバックライト１１の点灯時に光を透過させることにより、天板４を透過してタッチ操作部８、９の各操作表示部８ａ、９ａの表示を実施しているものである。なお、図３においては、タッチ操作部８の近傍温度を直接あるいは間接的に測定する操作部温度検知手段１０を備えている。
【００２４】
また、操作表示部８ａ、９ａの非表示時には、表示文字１２ａも含めて黒表示となり操作表示部全体を消灯状態とするとともに操作表示部８ａ、９ａの操作を無効としているものである。具体的には、図５（ａ）に示すように、バックライト１１の点灯時には各操作表示部８ａは表示文字１２ａを含め全体が表示されるが、非表示時には、図５（ｂ）に示すように、「操作有効」表示のみを残し他は表示文字１２ａも含めて黒表示となり操作表示部全体を消灯状態とする。同時に、非表示時には「操作有効」を除き操作表示部８ａの操作を無効としている。なお、「操作有効」の表示スイッチは、タッチ操作部８の操作表示部８ａを、非表示状態から表示状態に変更し、かつ操作表示部８ａの操作を無効から有効とする起動手段となっている。通常、タッチ操作部８、９の受付時間は、０．１秒程度の連続入力で受け付けるようにしていることが一般的であるが、この「操作有効」の表示スイッチ受付時間は、簡単に受け付けないように０．３秒程度に設定している。なお、「操作有効」の表示スイッチに代えて、タッチ操作部９の操作表示部９ａにおいて入力があった場合、これを起動手段として採用することもできる。この場合、操作表示部９ａの入
力後は、操作のしやすい天板４上面のタッチ操作部８において引き続き入力操作が可能となる。
【００２５】
また、図６（ａ）は、実際に使用者が電源を入れた場合におけるタッチ操作部８の操作表示部８ａの表示状態を示し、図６（ｂ）は、加熱中におけるタッチ操作部８の操作表示部８ａを示している。このように、電源を入れた場合におけるタッチ操作部８の操作表示部８ａの表示状態と、加熱中における状態では、受付可能な有効な操作表示部８ａが異なり、有効な操作表示部８ａのみを表示するため、使用者は、操作表示部８ａの無効なスイッチを押してしまうことがないものである。
【００２６】
なお、本実施の形態では、タッチ操作部８、９の両者が同様な操作表示部を有するものとして説明したが、タッチ操作部８のみを上記構成としてもよく、図５、図６はその場合の状態を示した。
【００２７】
このように、本実施の形態では、操作表示部の非表示時、つまり操作が無効である場合には、表示文字も含めて操作表示部全体を消灯状態とするため、使用者が無効であるということがはっきりと認識でき、使い勝手がよいものである。
【００２８】
また、タッチ操作部の操作表示部を、非表示状態から表示状態に変更し、かつ操作表示部の操作を無効から有効とする起動手段を設けたことにより、使用者が必要な際には、起動手段を操作することにより、直ちにタッチ操作部の操作表示部を使用するようにすることができ、使い勝手がよいものである。
【００２９】
また、タッチ操作部は、天板上面と、天板上面とは別位置の２カ所に設け、天板上面とは別位置のタッチ操作部を起動手段として天板上面のタッチ操作部を操作制御することにより、使用者が必要な際には、天板上面とは別位置のタッチ操作部の操作で直ちに天板上面のタッチ操作部を使用するようにすることができ、使い勝手がよいものである。
【００３０】
また、タッチ操作部は、その動作中に有効な操作表示部のみを表示するようにしたことにより、使用者は使用可能な操作表示部のみを認識し、誤操作することのない使い勝手のよいものとなる。
【００３１】
（実施の形態２）
次に、本発明の実施の形態２における加熱調理器について説明する。加熱調理器の構成については、実施の形態１と同じであるのでその説明を省略し、相違点を中心に説明する。
【００３２】
本実施の形態における加熱調理器は、加熱手段３ａ、３ｂの動作中に、タッチ操作部８、９への入力が所定時間無い場合には、タッチ操作部８、９の操作表示部８ａ、９ａを非表示とするとともにタッチ操作部８、９の操作を無効とするようにしている。すなわち、加熱調理中に有効なスイッチ操作がなく、例えば、１０分間が経過すると、タッチ操作部８、９の操作を無効にし、かつ非表示にするものである。
【００３３】
これにより、使用者が機器のそばを離れた際などには、操作が無効になり安全なものとすることができる。
【００３４】
また、加熱手段３ａ、３ｂにより加熱される負荷５ａ、５ｂの温度を直接あるいは間接的に測定する温度検知手段６ａ、６ｂを設け、この温度検知手段６ａ、６ｂによる測定結果が所定温度以上である場合には、タッチ操作部８の操作表示部８ａを非表示としかつ操作を無効とするようにしている。例えば、負荷５ａ、５ｂが空焼き状態になればこれを報
知するようにするとともに、調理を行う天板４の周辺温度が高温になり、タッチ操作部８周囲の温度も上昇しているため、使用者がその高温の負荷５ａ、５ｂの近傍にあるタッチ操作部８に手を触れないように非表示としかつ操作を無効とするものである。このときの、温度検知手段６ａ、６ｂの温度は、通常の使用状態での温度上昇の上限値以上である、例えば、２５０℃程度に設定している。
【００３５】
これにより、負荷が高温である場合にはそのそばにあるタッチ操作部には使用者が手を伸ばさなくてもよく、安全なものとすることができる。
【００３６】
また、タッチ操作部８の近傍温度を直接あるいは間接的に測定する操作部温度検知手段１０を設け、この操作部温度検知手段１０による測定結果が所定温度以上である場合には、タッチ操作部８の操作表示部８ａを非表示としかつ操作を無効とするようにしている。すなわち、操作部温度検知手段１０の測定温度が、例えば、５０℃を超えた時点にてタッチ操作部８の操作表示部８ａの表示を非表示とし、操作の受付を無効にしている。
【００３７】
これにより、タッチ操作部が高温である場合には使用者が手を伸ばさなくてもよく、安全なものとすることができる。
【００３８】
また、加熱手段３ａ、３ｂの加熱出力の設定火力に応じて、タッチ操作部８、９の操作表示部８ａ、９ａにおける表示から非表示にする所定時間を変更するようにしている。すなわち、今、例えば、１０００Ｗ以上の高火力の設定をしている場合は、使用者がそばについて頻繁に火力設定を変更する調理の場合が多いため、タッチ操作部８、９が操作されない状態から無効、かつ非表示にするまでの時間を、例えば、１０分間とし、例えば、１０００Ｗ未満の火力設定をしている場合には、煮物調理などの火力が一定で長い時間を必要とし、使用者がそばを離れる可能性が多い調理のため、タッチ操作部８、９が操作されない状態から無効、かつ非表示にするまでの時間を、例えば３分間とするものである。
【００３９】
これにより、使用者がそばにいて頻繁に火力設定を変えつつ調理することの多い高火力の場合には操作を無効にするまでの時間を長くし、使用者がそばを離れない場合が多く、火力設定を変更する頻度の少ない低火力の場合には、無効にするまでの時間を短くすることで、使い勝手のよいものとすることができる。
【００４０】
また、加熱手段３ａ、３ｂが動作しているか否かにより、タッチ操作部８、９の操作表示部８ａ、９ａを表示から非表示にする所定時間を変更するようにしている。すなわち、電源スイッチを入れただけの状態、あるいは、調理が完了して加熱していない状態にある場合には、例えば、１分間でタッチ操作部８、９を無効、かつ非表示としているものである。
【００４１】
これにより、使用者が機器を使用していない電源を入れていただけの場合と、実際に機器を使用して加熱調理中かどうかで、タッチ操作部を無効にする時間を変更することができ、使用者が機器の使用を停止した場合には直ちに操作を無効にし、使い勝手のよい安全なものとすることができる。
【産業上の利用可能性】
【００４２】
以上のように、本発明にかかる加熱調理器は、操作が無効である場合には、使用者が無効であるということがはっきりと認識できる使い勝手のよいものとなるので、静電容量式、あるいは圧電式のタッチ操作部を有する加熱調理全般に適用可能である。
【符号の説明】
【００４３】
１  外郭
２ａ、２ｂ  加熱コイル
３ａ、３ｂ  加熱手段
４  天板
５ａ、５ｂ  負荷
６  温度検知手段
８、９  タッチ操作部
８ａ、９ａ  操作表示部
１０  操作部温度検知手段
１１  バックライト
１２  ＬＣＤ
１２ａ  表示文字
【図１】
2011029203.tif 000003
【図２】
2011029203.tif 000004
【図３】
2011029203.tif 000005
【図４】
2011029203.tif 000006
【図５】
2011029203.tif 000007
【図６】
2011029203.tif 000008